(57)【特許請求の範囲】
【請求項１】
自己の温度状態を出力する温度検出端子を有する２次電池を搭載した画像処理装置であって、
前記２次電池を充電する電力が接続される接続コネクタと、
前記接続コネクタからの電力を制御して前記２次電池への充電制御を行う充電手段と、
前記充電手段と前記画像処理装置の動作を制御する制御手段と、
前記温度検出端子の接続先を前記充電手段と前記制御手段とに切替える接続切替え手段と、を備え、
前記制御手段は、前記接続切替え手段を介して、前記２次電池への充電を実行するときには前記温度検出端子を前記充電手段に接続し、画像処理動作を実行するときには前記温度検出端子を自己を構成する回路に接続することを特徴とする画像処理装置。
【請求項２】
前記制御手段は、少なくとも前記接続コネクタから電力が供給されていることを検出する機能と、前記接続切替え手段を制御する機能とを備えた第１の制御手段と、少なくとも画像処理動作を制御する機能を備えた第２の制御手段とにより構成されると共に、前記第１の制御手段は前記第２の制御手段よりも低い電源電圧で作動するように設定されていて、前記第１の制御手段は、前記接続切替え手段を介して、前記２次電池への充電を実行するときは前記温度検出端子を前記充電手段に接続し、また、前記画像処理動作を実行するときは前記温度検出端子を前記第２の制御手段に接続し、さらに、前記２次電池への充電も画像処理動作も行わないときは前記温度検出端子を該第１の制御手段に接続することを特徴とする請求項１に記載の画像処理装置。
【請求項３】
前記２次電池の残容量を検出する電池残容量検出手段をさらに有し、前記制御手段は、前記接続切替え手段を介して前記温度検出端子を前記充電手段に接続して充電制御を実行する際には、前記電池残容量検出手段によりフル充電レベルを検出するまでは前記画像処理動作を禁止し、前記フル充電レベルを検出したときには前記温度検出端子を前記接続切替え手段を介して自己を構成する回路に接続して前記画像処理動作を許可すること特徴とする請求項１または請求項２に記載の画像処理装置。
【請求項４】
前記制御手段は、フル充電レベル検出に加えて、該フル充電レベルよりも低くてかつ前記画像処理動作が可能な充電レベルを前記電池残容量検出手段により検出し、該画像処理動作が可能な充電レベルからフル充電レベルに至るまでの間は、前記充電制御を継続したままで前記画像処理動作も許可することを特徴とする請求項３に記載の画像処理装置。
【請求項５】
前記温度検出端子は、一方の端子が接地された正または負の温度係数を有するサーミスタに接続されており、前記制御手段および前記充電手段は、各々異なるプルアップ電圧を任意の抵抗体を介して前記温度検出端子に印加して、前記サーミスタと前記抵抗体とにより前記プルアップ電圧を分圧した電圧を検出して電池温度を検出することを特徴とする請求項１乃至４のいずれか１項に記載の画像処理装置。
【請求項６】
前記接続切替え手段は、半導体アナログスイッチで構成され、該半導体アナログスイッチを駆動する電源は、本装置で設定している複数の電源をダイオードで構成されたＯＲ回路を介して印加されるものであることを特徴とする請求項１乃至５のいずれか１項に記載の画像処理装置。
【請求項７】
前記接続コネクタは、ＵＳＢ規格に準拠したものであることを特徴とする請求項１乃至６のいずれか１項に記載の画像処理装置。
【発明の詳細な説明】
【技術分野】
【０００１】
本発明は、画像処理装置に関し、特に、自己の温度状態を出力する温度検出端子を有する２次電池を搭載した画像処理装置に関する。
【背景技術】
【０００２】
近年、デジタルカメラ等の携帯機器には、２次電池が内部電源として頻繁に使用されている。
この２次電池の充電方法としては、携帯機器の内部に充電回路を設けて内部充電とする形態のものが近年は多く採用されている。
【０００３】
この形態の場合、充電用の供給電力としては、ＰＣ（パーソナル・コンピュータ）のＵＳＢポートやＡＣアダプタ（専用ＤＣジャックやＵＳＢポート出力）を使用して充電する方法が知られており、２次電池の温度検出は、２次電池パック内のサーミスタを抵抗分圧することで実施されている。
この分野の公知技術として、例えば、特許文献１（特開２００９−２７２１３４号公報）には、温度センサとの共用端子を使用して電池パックの認証を行うに際して、測定に影響を与えず、かつ低コストな認証システムが開示されている。具体的には、電源端子と、前記共用の通信端子とを備え、充電器が電池パック側の温度センサを使用して二次電池の温度を検出するとともに、電池パックの充電器への適否の認証を行うシステムにおいて、電池パック側では、温度センサを通信端子と電源端子との間に接続し、通信端子に、温度センサと並列にＩＤ認証チップを接続する。そして、ＩＤ認証チップでは、パルス入力検出回路が認証のパルスを検出すると、切換制御回路を介して切離しスイッチを導通してＩＤ認証回路を通信端子に接続し、認証動作が終了すると、ＩＤ認証回路は切換制御回路に切離しスイッチを遮断させる構成としている。
【０００４】
また、例えば、特許文献２（特開平５−１７６４７４号公報）には、過充電制御回路に関し、機器内に内蔵された充電電池を充電する際に周囲温度や充電電圧による影響が少なく、継続した過充電が行われないようにする過充電制御回路が開示されている。この過充電制御回路は、具体的には、機器内に電源用の充電電池を備え、該充電電池を充電する充電電流が定電流回路から供給され、該定電流回路には充電電池が発する充電末期の電池電圧の降下分（ΔＶ）を検出して充電を終了する−ΔＶ検出制御回路が設けられている。そして、機器内部には、充電電池の温度を逐次電圧値に変換して電池温度電圧値を検出するサーミスタと、充電電池の過充電時に発生する温度を電圧値に変換した基準電圧値を出力する基準電圧発生回路と、前記電池温度電圧値と前記基準電圧値とを比較する比較回路とを備え、電池温度電圧値が基準電圧値以上になった場合にスイッチング回路により外部充電器からの充電電流の供給回路を切るように構成している。
【発明の概要】
【発明が解決しようとする課題】
【０００５】
しかしながら、上記背景技術で述べた従来の画像処理装置にあっては、選択する充電回路構成や、充電ＩＣ、ＣＰＵの制御電圧範囲の差などに応じてリチウムイオン電池内の温度サーミスタを入力する際に、ＰＵＬＬ−ＵＰ電圧を統一するか、若しくは、ＣＰＵ側のみでサーミスタを監視してシリアル通信などで充電ブロック側を電池サーミスタの抵抗から生じる温度により制御するかの、いずれか１つを選択する必要があった。
しかしながら、ＰＵＬＬ−ＵＰ電圧を統一する場合は、充電ＩＣ側のＲＥＦ電圧範囲とＣＰＵの検出範囲とが同等である必要があり、ＰＵＬＬ−ＵＰ電圧が常に安定して供給されることが必要となる。
上記の事情は、充電ＩＣを選択する場合や回路を構成する上で大きな制約となる。
また、ＣＰＵ側にのみサーミスタを接続する場合は、常に該ＣＰＵを起動するために、或る程度の電力供給を行うことが必要である。
しかしながら、例えば、該ＣＰＵを駆動するために必要な電力が、エナミュレーション前のＵＳＢポートから供給される５Ｖ×１００ｍＡで賄えない場合などは、電池から補充することが考えられるが、過放電状態の電池では供給できない場面も想定され、この電池が２次電池の場合は、該２次電池のサーミスタから温度を検出して適正な充電制御を行うことが実施できないことが有る、という問題点があった。
【０００６】
なお、前述の特許文献１に記載の技術は、２次電池の温度センサの端子と電池認証信号を共用することが目的で、開示されているものであり、本発明とは、確かに温度センサと認証信号を共用し、認証チップからの信号である場合は、通信制御側に、認証で問題が無ければ、温度測定回路へと共用端子入力をスイッチで切り替える点では類似点を有する。
しかしながら、本発明が解決を意図した１つの課題、即ち、充電供給側の能力が限られる状況においても、システムの電力が大きいとサーミスタの値を適切に読み込めずに充電できなくなってしまうという問題点は解消できていない。
さらに、前述の特許文献１に記載の技術は、充電器の構成であり、本発明のように携帯機器として動作させることまでは意図されていない。
また、前述の特許文献２に記載の技術は、電池温度電圧値が基準電圧値以上になった場合に、スイッチング回路を用いて外部充電器からの充電電流の供給回路を切るように構成した過充電制御回路であって、本発明とは、目的、構成とも異なるものである。
本発明は、上記従来の問題点に鑑みてなされたものであって、２次電池の温度情報を把握することにより、適正な充電および画像処理装置の放電制御を適正に行い得るようにした画像処理装置を提供することを目的としている。
【課題を解決するための手段】
【０００７】
請求項１に記載した本発明に係る画像処理装置は、上述した目的を達成するために、
自己の温度状態を出力する温度検出端子を有する２次電池を搭載した画像処理装置であって、
前記２次電池を充電する電力が接続される接続コネクタと、
前記接続コネクタからの電力を制御して前記２次電池への充電制御を行う充電手段と、
前記充電手段と前記画像処理装置の動作を制御する制御手段と、
前記温度検出端子の接続先を前記充電手段と前記制御手段とに切替える接続切替え手段と、を備え、
前記制御手段は、前記接続切替え手段を介して、前記２次電池への充電を実行するときには前記温度検出端子を前記充電手段に接続し、画像処理動作を実行するときには前記温度検出端子を自己を構成する回路に接続することを特徴とする。
【発明の効果】
【０００８】
本発明によれば、自己の温度状態を出力する温度検出端子を有する２次電池を搭載した画像処理装置であって、前記２次電池を充電する電力が接続される接続コネクタと、
前記接続コネクタからの電力を制御して前記２次電池への充電制御を行う充電手段と、
前記充電手段と前記画像処理装置の動作を制御する制御手段と、
前記温度検出端子の接続先を前記充電手段と前記制御手段とに切替える接続切替え手段と、を備え、
前記制御手段は、前記接続切替え手段を介して、前記２次電池への充電を実行するときには前記温度検出端子を前記充電手段に接続し、画像処理動作を実行するときには前記温度検出端子を自己を構成する回路に接続するように構成したので、
２次電池の温度情報を正確に把握することにより、適正な充電ができると共に、画像処理装置の放電制御を適正に実現することが可能となる。
【図面の簡単な説明】
【０００９】
【図１】本発明の一つの実施の形態に係る画像処理装置の構成を示すブロック図である。
【図２】本発明の一つの実施の形態に係る画像処理装置のサーミスタ出力切り替え部を中心とした回路系統の回路構成を示す回路図である。
【図３】本発明の一つの実施の形態に係る画像処理装置のカメラ動作時と充電動作時とにおけるバッテリーのサーミスタ出力の切り替え動作手順を示すフローチャートである。
【発明を実施するための最良の形態】
【００１０】
本発明の一つの実施の形態に係る画像処理装置（画像記録装置を含む）は、デジタルカメラなどの携帯機器を駆動する電源となる２次電池の充電に際して、充電動作を行う際のサーミスタ検出機能と、携帯機器動作時のサーミスタ検出機能とを分離した回路で構成し、該構成においても、２次電池のサーミスタの、抵抗分圧点の伝達先切り替え回路をアナログスイッチなどを用いて構成することで、抵抗の少ないスイッチ切り替えを実施して充電動作をできるようにし、このような充電機能を、従来の画像処理装置と比べて、大幅な回路要素の追加を行うことなく実現できるようにしている。
以下、本発明に係る画像処理装置の最良の実施形態について、図面を参照して詳細に説明する。
図１は、本発明の一つの実施の形態に係る画像処理装置の構成を示すブロック図である。
同図において、本実施の形態の画像処理装置は、一例として、携帯可能なカメラであり、本実施形態における特徴的な構成要素として、カメラを駆動するバッテリー１２６と、バッテリー１２６から各ユニットが必要とする電圧を生成する電源ユニット１２５と、バッテリー１２６を充電するバッテリー充電回路１２７と、バッテリー１２６の残容量を検出する検出回路１２８と、バッテリー充電回路１２７の充電電流供給先としてＵＳＢコネクタ１２２に接続するＡＣアダプタ１２９（若しくは、パーソナルコンピュータのプリンタ等のＵＳＢ  ＢＵＳ１３０）と、ＵＳＢの接続状態を検出するＵＳＢ接続検出回路１３１と、サーミスタ出力切り替え部１３２と、を備える。
【００１１】
また、この他に、本実施の形態の画像処理装置は、常設の構成要素として、サブＬＣＤ１、測距ユニット５、リモコン受光部６、鏡胴ユニット７、ＡＦ表示用ＬＥＤ８、ストロボ表示用ＬＥＤ９およびＬＣＤモニタ１０に加えて、光学画像を光電変換するＣＣＤ１０１（撮像素子）、フロントエンド部１０２、ＳＤＲＡＭ（シンクロナスダイナミックランダムアクセスメモリ）１０３、カメラプロセッサ１０４、ＲＡＭ（ランダムアクセスメモリ）１０７、ＲＯＭ（リードオンリメモリ）１０８、サブＣＰＵ（サブ中央処理部）１０９、操作キーユニット１１０、サブＬＣＤドライバ１１１、ブザー１１３、ストロボ回路１１４、音声記録ユニット１１５、音声再生ユニット１１６、ＬＣＤドライバ１１７、ビデオアンプ（ビデオ増幅器）１１８、ビデオコネクタ１１９、内蔵メモリ１２０、メモリカードスロット１２１、ＵＳＢ（ユニバーサルシリアルバス）コネクタ１２２およびシリアルインタフェース部１２３を備えている。
以下、図１を参照して、本実施形態に係る画像処理装置の構成要素の機能を説明する。
本実施の形態の画像処理装置が使用するＵＳＢ規格のコネクタ（ＵＳＢコネクタ）は、４つの出力端子を備えるものとする。その内訳は、電源５Ｖの電源電圧を有するＶＢＵＳラインと、その基準となるＧＮＤラインと、データラインとしてのＤ＋端子と，Ｄ−端子とである。
【００１２】
このようなＵＳＢコネクタの構成において、図１に示す本発明に特徴的な回路ブロックは、バッテリー１２６を充電するバッテリー充電回路１２７がＵＳＢコネクタ１２２を介してＡＣアダプタ１２９と接続されたのか、それとも、パーソナルコンピュータのプリンタ等のＵＳＢ  ＢＵＳ１３０と接続されたのかを区別する検出を、ＵＳＢ接続検出回路１３１で行う構成としている。
また、ＵＳＢ接続検出回路１３１は、ＵＳＢコネクタ１２２のＶ−ＢＵＳに電源が接続された後、データラインＤ＋，Ｄ−の検出を行う。
この検出結果により、バッテリー充電回路１２７の上限供給可能電流が決定し、バッテリー１２６に対して充電電流を流す。
バッテリー残容量検出回路１２８は、バッテリー１２６の残容量を検知し、この残容量を、基本動作を受け入れるか否かの決定に必要な情報として、ＳＵＢ−ＣＰＵ１０９に送信する。
また、バッテリー１２６の残容量や、ＵＳＢの接続先に応じて、バッテリー１２６のサーミスタの接続先をサーミスタ出力切り替え部１３２を用いて切り替える。
なお、本実施の形態の画像処理装置に備えられる構成要素の機能は、下記のとおりである。
【００１３】
鏡胴ユニット７は、被写体の光学画像を取り込むズームレンズ系７−１ａおよびズームモータ７−１ｂを含むズーム光学系７−１、フォーカスレンズ系７−２ａおよびフォーカスモータ７−２ｂを含むフォーカス光学系７−２、絞り７−３ａおよび絞りモータ７−３ｂを含む絞りユニット７−３、メカシャッタ７−４ａおよびメカシャッタモータ７−４ｂを含むメカシャッタユニット７−４、並びに各モータを駆動するモータドライバ７−５を有している。
フロントエンド部１０２は、画像ノイズ除去用相関二重サンプリングを行うＣＤＳ（相関２重サンプリング部）１０２−１、ＡＧＣ（自動利得制御部）１０２−２、Ａ／Ｄ（アナログ−デジタル）変換部１０２−３およびＴＧ（タイミングジェネレータ）１０２−４を有している。
【００１４】
カメラプロセッサ１０４は、Ｆ／Ｅ−ＩＣ１０２の出力データにホワイトバランス設定やガンマ設定を行い、またＶＤ信号、ＨＤ信号を供給するＣＣＤ１信号処理ブロック１０４−１、フィルタリング処理により、輝度データ、色相データへの変換を行うＣＣＤ２信号処理ブロック１０４−２、装置各部の動作を制御するＣＰＵ（中央処理部）ブロック１０４−３、前述した制御に必要なデータ等を、一時的に保存するローカルＳＲＡＭ（ローカルスタティックランダムアクセスメモリ）１０４−４、パソコンなどの外部機器とＵＳＢ通信を行うＵＳＢ処理ブロック１０４−５、外部機器とシリアル通信を行うシリアル処理ブロック１０４−６、ＪＰＥＧ圧縮の伸長を行うＪＰＥＧコーデック（ＣＯＤＥＣ）ブロック１０４−７、画像データのサイズを補間処理により拡大／縮小するリサイズ（ＲＥＳＩＺＥ）ブロック１０４−８、画像データを液晶モニタやＴＶなどの外部表示機器に表示するためのビデオ信号に変換するＴＶ信号表示ブロック１０４−９および撮影された画像データを記録するメモリカードの制御を行うメモリカードコントローラブロック１０４−１０を有している。
操作キーユニット１１０は、図示は省略したが、レリーズボタン、モードダイアル、ズームボタン、電源スイッチおよび操作キー部を含んでいる。
【００１５】
音声記録ユニット１１５は、音声記録回路１１５−１、マイクアンプ１１５−２およびマイク（マイクロフォン）１１５−３を有しており、音声再生ユニット１１６は、音声再生回路１１６−１、オーディオアンプ（オーディオ増幅器）１１６−２およびスピーカ１１６−３を有している。シリアルインタフェース部１２３は、シリアルドライバ回路１２３−１およびシリアルコネクタ１２３−２を有している。
サブＬＣＤ１、レリーズボタンおよびモードダイアルは、一般的にカメラボディの上面に配置されている。サブＬＣＤ１は、例えば、撮影可能枚数等を表示するための表示部として用いられる。また、ストロボ発光部３、測距ユニット５、リモコン受光部６、鏡胴ユニット７および光学ファインダの対物面側は、カメラボディの正面側に配置されている。
メモリカード１２４を装填するためのメモリカード装填部は、カメラボディの側面に配設されている。このメモリカード装填部の内部にメモリカードスロット１２１が設けられていて、このメモリカードスロット１２１にメモリカードを挿入することによってメモリカードを装填する。さらに、ＡＦ表示用ＬＥＤ８、ストロボ表示用ＬＥＤ９、ＬＣＤモニタ１０、光学ファインダの接眼部側、ズームボタン、電源スイッチおよび操作キー部は、カメラボディの背面側に配置されている。
【００１６】
次に、図１および図２を参照してデジタルカメラの基本的な動作を説明する。図１および図２において、ストロボ発光部３およびストロボ回路１１４は、被写体における自然光等の光量が足りない場合に光量を補うために用いる。即ち、暗い場所の撮影や被写体が暗い場合の撮影には、カメラプロセッサ１０４からストロボ回路１１４にストロボ発光信号を送信することによって、ストロボ回路１１４は、ストロボ発光部３を発光させて被写体を照明する。測距ユニット５は、カメラ本体と被写体との間の距離、つまり被写体距離、を計測する。この種のデジタルカメラにおけるオートフォーカシング（ＡＦ）には、鏡胴ユニット７の光学系によってＣＣＤ１０１に結像された被写体像のコントラスト情報を検出し、最もコントラスト値の高い位置に光学系、即ちフォーカスレンズ７−２ａを移動させてフォーカスを合わせる、いわゆるＣＣＤ−ＡＦ方式が用いられる。しかしながら、このＣＣＤ−ＡＦ方式は、フォーカスレンズ７−２ａを少しずつ移動させつつコントラスト値を求めるため、フォーカシング動作が遅い。そこで、測距ユニット５を用いて、被写体距離情報を常に取得し、被写体距離情報に基づいて、被写体距離近傍に対応する位置までフォーカスレンズ７−２ａを一気に移動させて、フォーカス動作を高速化するようにすることも行われている。
【００１７】
鏡胴ユニット７は、被写体の光学像を取り込みＣＣＤ１０１に結像する撮像光学系における焦点距離を変更させるためのズームレンズ７−１ａおよびこのズームレンズ７−１ａを駆動するズームモータ７−１ｂを含むズーム光学系７−１と、撮像光学系における合焦点を移動させるためのフォーカスレンズ７−２ａおよびこのフォーカスレンズ７−２ａを駆動するフォーカスモータ７−２ｂを含むフォーカス光学系７−２と、撮像光学系における開口口径を絞るための絞り７−３ａおよびこの絞り７−３ａを駆動する絞りモータ７−３ｂを含む絞りユニット７−３と、撮像光学系の光路を機械的に開閉するメカニカルシャッタからなるメカシャッタ７−４ａおよびこのメカシャッタ７−４ａを開閉駆動するメカシャッタモータ７−４ｂを含むメカシャッタユニット７−４と、各モータ７−１ｂ〜７−４ｂを駆動するモータドライバ７−５とを有している。そして、モータドライバ７−５は、リモコン受光部６からの入力や操作キーユニット１１０の操作入力に基づく、カメラプロセッサ１０４内のＣＰＵブロック１０４−３からの駆動指令によって駆動制御される。
ＲＯＭ１０８には、ＣＰＵブロック１０４−３にて解読可能なプログラムコードで記述された、制御プログラムや制御するためのパラメータ等が格納されている。操作キーユニット１１０の電源スイッチの操作によって、このデジタルカメラの電源がオン状態になると、制御プログラムがＣＰＵブロック１０４−３に付随する図示されていないメインメモリにロードされ、ＣＰＵブロック１０４−３は、その制御プログラムに従って装置各部の動作を制御するとともに、制御に必要なデータ等を、一時的に、ＲＡＭ１０７およびカメラプロセッサ１０４内のローカルＳＲＡＭ１０４−４に保存する。
【００１８】
ＲＯＭ１０８を、書き換え可能なフラッシュメモリを用いて構成すれば、制御プログラムや制御するためのパラメータ等を変更することが可能となり、機能のバージョンアップを容易に行うことができる。
ＣＣＤ１０１は、典型的には、ＣＣＤ（電荷結合素子）の撮像素子またはＣＭＯＳ（相補型金属酸化物半導体）撮像素子等の固体撮像素子を用いて構成され、光学像を光電変換して電子的な画像信号に変換する。
フロントエンド部１０２は、ＣＤＳ１０２−１、ＡＧＣ１０２−２、Ａ／Ｄ変換部１０２−３およびＴＧ１０２−４を有し、これら各部は、カメラプロセッサ１０４のＣＰＵブロック１０４−３によって制御される。ＣＤＳ１０２−１では、ＣＣＤ１０１より得られた画像信号の相関二重サンプリングを行って画像ノイズを除去し、ＡＧＣ１０２−２では、画像ノイズが除去された画像信号の利得調整を行い、Ａ／Ｄ変換部１０２−３では、利得調整された画像信号をＡ／Ｄ変換（アナログ−デジタル変換）によりデジタル信号に変換して、カメラプロセッサ１０４の第１の撮像信号処理ブロック１０４−１に与える。
【００１９】
これらＣＤＳ１０２−１、ＡＧＣ１０２−２、Ａ／Ｄ変換部１０２−３の信号処理動作は、カメラプロセッサ１０４のＣＣＤ１信号処理ブロック１０４−１から出力されるＶＤ・ＨＤ（垂直駆動・水平駆動）信号により、ＴＧ１０２−４を介して制御される。ＴＧ１０２−４は、ＣＣＤ１信号処理ブロック１０４−１から出力されるＶＤ・ＨＤ信号に応動して、フロントエンド部１０２のＣＤＳ１０２−１、ＡＧＣ１０２−２およびＡ／Ｄ変換部１０２−３に駆動タイミング信号を与えるとともに、ＣＣＤ１０１に駆動タイミング信号を与える。この場合、フロントエンド部１０２は、ＣＤＳ１０２−１、ＡＧＣ１０２−２、Ａ／Ｄ変換部１０２−３およびＴＧ１０２−４を同一ＩＣ（集積回路）チップ上に実装して、フロントエンドＩＣとして構成したものを用いることが望ましいが、個別回路で構成してもよい。
カメラプロセッサ１０４のＣＣＤ１信号処理ブロック１０４−１は、上述したようにフロントエンド部１０２のＴＧ１０２−４にＶＤ信号およびＨＤ信号を供給するとともに、ＣＣＤ１０１からフロントエンド部１０２を介して与えられたデジタル撮像信号データに対してホワイトバランス調整およびガンマ調整等の信号処理を行う。カメラプロセッサ１０４のＣＣＤ２信号処理ブロック１０４−２は、デジタル撮像信号データに対してフィルタリング処理を施すことによって、原ＲＧＢ（ＲＡＷ−ＲＧＢ）データから輝度および色差データ、即ちＹＵＶ（ＹＣｂＣｒ）データ、等への変換を行う。
【００２０】
デジタルスチルカメラプロセッサ（以下、単に「プロセッサ」ということがある）１０４のＣＰＵブロック１０４−３は、当該カメラ内各部の動作を適正に制御する。カメラプロセッサ１０４のローカルＳＲＡＭ１０４−４は、上述したように、ＣＰＵブロック１０４−３による制御に必要なデータ等を、一時的に保存する。
さらに、カメラプロセッサ１０４において、ＵＳＢ処理ブロック１０４−５は、ＵＳＢ規格に従ってＰＣ（パーソナルコンピュータ）等の外部機器と接続し、外部機器との間で通信を行うためのＵＳＢ信号処理を行う。シリアルブロック１０４−６は、ＲＳ−２３２Ｃ等のシリアル通信規格に従ってＰＣ等の外部機器と接続し、外部機器との間で通信を行うためのシリアル信号処理を行う。ＪＰＥＧコーデックブロック１０４−７は、画像データに対するＪＰＥＧ圧縮／伸張を行う。リサイズブロック１０４−８は、外挿／内挿等の補間処理により画像データのサイズを拡大／縮小する。ビデオ信号表示ブロック１０４−９は、画像データをＬＣＤモニタ１０やＴＶ等の外部表示機器に表示するためのビデオ信号に変換し、メモリカードコントローラブロック１０４−１０は、メモリカード装填部内のメモリカードスロット１２１に装填された、例えば、メモリカード１２４（ＬＡＮカード、無線ＬＡＮカード、ブルートゥースカード等）に、撮影された撮像画像データを記録し、メモリカード１２４に記録された撮像画像データを再生するためのメモリカード１２４の書き込み／読み出し制御を行う。
【００２１】
ＳＤＲＡＭ１０３は、カメラプロセッサ１０４において画像データに各種の処理を施す際に、画像データを一時的に保存するために用いられる。保存される画像データは、例えば、ＣＣＤ１０１からフロントエンド部１０２を介して取り込んだ画像データに、ＣＣＤ１信号処理ブロック１０４−１にてホワイトバランス調整およびガンマ調整が行われた状態の原ＲＧＢ画像データ（ＲＡＷ−ＲＧＢ画像データ）や、同様にして取り込んだ画像データがＣＣＤ２信号処理ブロック１０４−２にて輝度データ（Ｙ）と色差データ［Ｕ（Ｃｂ），Ｖ（Ｃｒ）］に変換された状態のＹＵＶ（ＹＣｂＣｒ）画像データや、ＪＰＥＧコーデックブロック１０４−７にて、ＪＰＥＧ圧縮エンコードされたＪＰＥＧ画像データなどである。
メモリカードスロット１２１は、撮影した画像データを記憶するためのメモリカード１２４を着脱可能に装填するためのコネクタスロットであり、このメモリカードスロット１２１に装填されたメモリカード１２４の書き込み／読み出し制御は、メモリカードスロット１２１を介してメモリカードコントローラブロック１０４−１０によって行われる。内蔵メモリ１２０は、撮影した画像データを記憶するためのメモリであり、メモリカードスロット１２１にメモリカード１２４が装着されていない場合であっても、撮影した画像データを記憶することができるようにするために設けられている。
【００２２】
ＬＣＤドライバ１１７は、ＬＣＤモニタ１０を駆動するドライブ回路であり、ビデオ信号表示ブロック１０４−９から出力されたビデオ信号を、ＬＣＤモニタ１０に表示するための信号に変換する機能をも有している。ＬＣＤモニタ１０は、撮影前に被写体の状態を監視するための画像表示、撮影した画像を確認するための撮像画像表示、そしてメモリカード１２４や内蔵メモリ１２０に記録された画像データの表示、などを行うためのモニタである。
ビデオアンプ１１８は、ビデオ信号表示ブロック１０４−９から出力されたビデオ信号を、７５Ωインピーダンス出力にインピーダンス変換する。ビデオコネクタ１１９は、ビデオアンプ１１８の７５Ωインピーダンス出力をＴＶ等の外部表示機器に接続するためのコネクタである。
ＵＳＢコネクタ１２２は、ＰＣ等の外部機器との間をＵＳＢ接続するためのコネクタである。シリアルドライバ回路１２３−１およびシリアルコネクタ１２３−２を備えるシリアルインタフェース部１２３は、標準化されたシリアル通信規格、例えばＲＳ−２３２Ｃ規格等、に従ってＰＣ等の外部機器との間でシリアル通信を行うためのインタフェースを構成している。シリアルドライバ回路１２３−１は、シリアル処理ブロック１０４−６の出力信号を電圧変換する回路であり、ＲＳ−２３２Ｃコネクタ１２３−２は、シリアルドライバ回路１２３−１で電圧変換されたシリアル出力をＰＣ等の外部機器に接続するためのコネクタである。
【００２３】
サブＣＰＵ１０９は、例えば同一チップ上にＲＯＭ・ＲＡＭを内蔵したマイクロプロセッサ等のＣＰＵであり、操作キーユニット１１０やリモコン受光部６等の出力信号をユーザーの操作情報として、カメラプロセッサ１０４のＣＰＵブロック１０４−３に与えたり、ＣＰＵブロック１０４−３から出力されるカメラの状態情報に基づいて、サブＬＣＤ１、ＡＦ表示用ＬＥＤ８、ストロボ表示用ＬＥＤ９およびブザー１１３に制御信号を供給したりする。
サブＬＣＤ１は、例えば、撮影可能枚数等を表示するための表示部であり、サブＬＣＤドライバ１１１は、サブＣＰＵ１０９の出力信号に基づいてサブＬＣＤ１を駆動する回路である。ＡＦ表示用ＬＥＤ８は、撮影時の合焦状態を表示するためのＬＥＤであり、ストロボ表示用ＬＥＤ９は、ストロボ発光用コンデンサの充電が完了して発光可能となっているか否か等の発光準備状態を表示するためのＬＥＤである。なお、これらＡＦ表示用ＬＥＤ８とストロボ表示用ＬＥＤ９とを、他の表示用途、例えば、メモリカード１２４のアクセス中を示す表示に使用するなどしても良い。
操作キーユニット１１０は、ユーザーが操作する操作キー、操作スイッチおよび操作ボタン等であり、この場合、レリーズボタン、撮影／再生切り換えダイアル、ズームボタン、電源スイッチおよび操作キー部等を含んでいる。リモコン受光部６は、ユーザーが操作するリモコン送信機（図示していない）からの赤外線のような光信号を受信する。
【００２４】
音声記録ユニット１１５は、マイク１１５−３により、ユーザーが音声信号を入力し、マイク１１５−３に入力された音声信号をマイクアンプ１１５−２で増幅し、マイクアンプ１１５−２で増幅された音声信号を音声記録回路１１５―１で記録する。また、音声再生ユニット１１６は、記録された音声信号を、音声再生回路１１６−１により、スピーカから出力再生するための信号に変換し、音声再生回路１１６−１で変換された音声信号をオーディオアンプ１１６−２により増幅して、オーディオアンプ１１６−２で増幅された信号により、スピーカ１１６−３を駆動して音声信号を音声出力する。
なお、さらに、ブルートゥース［Bluetooth（登録商標）］回路（図示は省略）を設けて、ブルートゥース規格による無線通信を介して接続される、いわゆるブルートゥース機器への接続を行うようにしても良い。あるいは、ブルートゥース［Bluetooth（登録商標）］回路がない場合には、メモリカードスロット１２１にブルートゥース［Bluetooth（登録商標）］規格のインタフェース機能を有するブルートゥース［Bluetooth（登録商標）］カードを装填することによっても、他のブルートゥース［Bluetooth（登録商標）］機器と接続し通信することができる。イーサーネットによるＬＡＮ（ローカルエリアネットワーク）への接続は、イーサーネット接続回路（図示せず）または無線イーサーネット接続回路（図示せず）によって行うことができる。あるいは、これらのイーサーネット回路がない場合は、ＬＡＮカードまたは無線ＬＡＮカードを、メモリカードスロット１２１に装填して、ＬＡＮカードまたは無線ＬＡＮカードを介してネットワークへ接続することが可能となる。
【００２５】
以下、本発明の画像処理装置に特徴的な回路要素について説明する。
図２は、本発明の一つの実施形態に係る画像処理装置の一部を構成するサーミスタ出力切り替え部およびバッテリー充電回路を中心とした回路構成を示す回路図である。
以下、図１，２を参照して、本実施の形態に係る画像処理装置における２次電池の具体的な充電動作について説明する。
ＡＣアダプタ１２９またはパーソナルコンピュータ、プリンタ等のＵＳＢ  ＢＵＳ１３０（いずれも図１参照）に接続された接続コネクタとしてのＵＳＢコネクタ１２２（図１参照）と、ＵＳＢ接続検出回路１３１とを介して、ＵＳＢブロック１０４−５（図２に示す電力供給コネクタ１０４−５ａ）から充電手段としてのバッテリー充電回路１２７（図２に示す充電ブロック）に電力を供給する。
この電力は、バッテリー１２６（図２に示す２次電池）に供給する充電電力となる。
バッテリー１２６は、図２に示すとおりセル温度を監視する温度検出素子としてのサーミスタ２を備えており、このサーミスタ２の抵抗値とＰＵＬＬＵＰ先の抵抗値Ｒ１との電圧降下の分圧により、バッテリー１２６の温度情報を得ることができる。
本装置では、前記抵抗分圧の分圧点の電圧の伝達先を、ＳＵＢ−ＣＰＵ１０９が、サーミスタ出力切り替え部１３２のスイッチ１３２１およびスイッチ１３２２を操作して切り替える。
【００２６】
例えば、充電中の場合、ＳＵＢ−ＣＰＵ１０９は、前記抵抗分圧の分圧点の電圧が、バッテリー充電回路１２７側に出力されるようにサーミスタ出力切り替え部１３２のスイッチ１３２１およびスイッチ１３２２を操作し（図２に示すスイッチではＰ１→Ｐ２の経路）、また、カメラ（本実施形態に係る画像処理装置）を動作させる場合には、他のプルアップ抵抗Ｒ２とサーミスタ２との抵抗分圧の分圧点の電圧が、該カメラの動作を制御するプロセッサ１０４（図１参照）の、図示しないＡ／Ｄコンバータに出力されるようにする（図２に示すスイッチではＰ１→Ｐ３→Ｐ３´→Ｐ４の経路）。
さらに、カメラ動作と充電動作との何れも選択されていない場合は、ＳＵＢ−ＣＰＵ１０９は、サーミスタ出力切り替え部１３２のスイッチ１３２１およびスイッチ１３２２を操作して、サーミスタ２とさらに他のプルアップ抵抗Ｒ３との分圧点の電圧を、自己（即ち、ＳＵＢ−ＣＰＵ１０９）に接続し（図２に示すスイッチではＰ１→Ｐ３→Ｐ３´→Ｐ５の経路）、これにより、ＳＵＢ−ＣＰＵ１０９を介して２次電池（ここではバッテリー１２６）の有無を検出する機能を有する図示しないＡＤ変換ポートに接続する。
なお、サーミスタ出力切り替え部１３２のスイッチ１３２１およびスイッチ１３２２は、いずれもアナログスイッチで構成することができる。
【００２７】
このように、２次電池（ここではバッテリー１２６）における前記サーミスタ２の、抵抗分圧の分圧点の伝達先切り替え制御を、ＳＵＢ−ＣＰＵ１０９が、サーミスタ出力切り替え部１３２のスイッチ１３２１およびスイッチ１３２２を操作して行うことで、従来の充電回路を具備しない携帯機器の主要な制御回路をそのまま流用することを可能にしている。また、これにより、本装置の信頼性を高めることができると共に、開発コストも低減することができる。
また、充電中の温度制御は、常に充電回路ブロック（ここではバッテリー充電回路１２７）に任せるので、従来から実施されているプロセッサ１０４（より具体的にはＣＰＵブロック１０４−３）における温度制御（図示は省略）には、余計な処理負担を掛けなくてもよい。
ちなみに、従来は、プロセッサ１０４に内蔵されている前記Ａ／Ｄコンバータと、従来の充電ブロックとの両者に、同一の抵抗分圧点を接続しようとすると、ＰＵＬＬ−ＵＰできる電圧の違いや、プロセッサ１０４に内蔵の前記Ａ／Ｄコンバータの入力インピーダンス次第によっては、従来の充電ブロックの検出電圧範囲や検出精度が悪くなり、温度情報に相違が生じることで両者間の仕様の相違に基づくアンマッチを招き、この問題点を解消しようとすると、従来の充電ブロックに使用する部品やＩＣの選定にも影響を及ぼす可能性があった。
【００２８】
また、プロセッサ１０４に限定し、プロセッサ１０４によって従来の２次電池の温度情報を取得した上で従来の充電ブロックに対して充電制御を行う方法は、プロセッサ１０４と従来の充電ブロックとの通信処理のために大きく電力を消費してしまうことから、この２次電池の充電時間が長くなる可能性が高くなる。
よって、本実施の形態に係る画像処理装置の上記構成のように、実質的にはバッテリー充電回路１２７と、サーミスタ出力切り替え部１３２（スイッチ１３２１およびスイッチ１３２２を含む）とを備えることだけで、２次電池（ここではバッテリー１２６）の状態により、負荷の軽い処理にすることができるので、充電時間への悪影響を減らすことができる効果が得られる。
また、充電回路ブロック（ここではバッテリー充電回路１２７）と、プロセッサ１０４とを接続するサーミスタ出力切り替え部１３２用の電源は、何れの制御下においても、常に電源が投入された状態であることから、２次電池（ここではバッテリー１２６）の状態に係わらず、常に充電動作を開始することができる。
【００２９】
具体的には、例えば、Ｖ−ＢＵＳを供給先とするＬＤＯ３などの出力電圧と、２次電池（ここではバッテリー１２６）からのＤＣＤＣコンバータを介した出力電圧とを、ダイオード素子を用いたＯＲ結合回路とし、該ＯＲ結合回路の出力をスイッチ１３２１用およびスイッチ１３２２用の電源とすることで、前記両者の電圧値の高い方の出力により、該スイッチ１３２１用およびスイッチ１３２２用の電源は確保されることになる。
特に、２次電池（ここではバッテリー１２６）の残存電圧が無い状況化（電池の過放電状態など）においては、該２次電池を充電することが先決の課題となるので、前者のＶ−ＢＵＳ電源が供給先となってＳＵＢ−ＣＰＵ１０９や、前記のサーミスタ出力切り替え部１３２の動作を行うことになる。
この場合、プロセッサ１０４用の制御入力が無い状況下であっても、充電が可能となるように、ＳＵＢ−ＣＰＵ１０９を介して前記サーミスタ出力切り替え部１３２の制御端子が充電回路側に分圧点が出力されるように接続し、該２次電池（ここではバッテリー１２６）の電圧値の範囲が、プロセッサ１０４の動作を可能にする範囲である場合は、ＳＵＢ−ＣＰＵ１０９によって、前記サーミスタ出力切り替え部１３２の出力をプロセッサ１０４側に接続する。
【００３０】
また、充電しながら本装置を動作させる場合は、充電動作側でサーミスタの検知を行って温度を監視し、充電回路ブロック（ここではバッテリー充電回路１２７）の温度ステータスに応じて本装置の電源を切断させるにように構成することができる。
さらに、充電動作もカメラ動作も行わない場合は、消費電力が小さいＳＵＢ−ＣＰＵ１０９などの、前記２次電池の挿抜の検出を行うＡＤ変換ポートに、前述の分圧点を接続しておくことで、該２次電池の有無を検出することができる。そのため、該検出後に、Ｖ−ＢＵＳの検出結果や、該２次電池の電圧に応じて、許可すべき動作を決定することができる。
図３は、本発明の一つの実施の形態に係る画像処理装置のカメラ動作時と充電動作時とにおけるバッテリーのサーミスタ出力の切り替え動作手順を示すフローチャート図である。
この動作の初期状態にあっては、２次電池（ここではバッテリー１２６）のサーミスタ出力（前記サーミスタとプルアップ抵抗Ｒ３との分圧点の出力）は、前記サーミスタ出力切り替え部１３２（実質的にはスイッチ１３２１およびスイッチ１３２２）により、ＳＵＢ−ＣＰＵ１０９の電池挿抜検出部（図示は省略）に接続されているものとする。
【００３１】
（ステップＦ１）
ステップＦ１では、ＵＳＢブロック１０４−５は、２次電池（ここではバッテリー１２６）の接続（装着）がＳＵＢ−ＣＰＵ１０９の前記電池挿抜検出部によって検知されるまで待機し、接続された場合は、ステップＦ２に移る。
（ステップＦ２）
ステップＦ２では、ＵＳＢブロック１０４−５は、ＵＳＢ接続検出回路１３１を介して、ＵＳＢコネクタ１２２にＡＣアダプタ１２９またはＵＳＢ  ＢＵＳ１３０等のコネクタが接続されているか否かを検証し、ＵＳＢコネクタ１２２に上記いずれかのコネクタが接続されている場合はステップＦ３に進み、ＵＳＢコネクタ１２２に上記いずれかのコネクタも接続されていない場合はステップＦ８に移る。
（ステップＦ３）
ステップＦ３では、ＵＳＢブロック１０４−５は、ＵＳＢ接続検出回路１３１を介して、ＵＳＢコネクタ１２２に接続されているのは、ＡＣアダプタ１２９であるか、それともパーソナルコンピュータのプリンタ等のＵＳＢ  ＢＵＳ１３０であるかを検証し、ＡＣアダプタ１２９が前記コネクタ１２２に接続されている場合は、ステップＦ４に進み、一方、ＵＳＢ  ＢＵＳ１３０が前記コネクタ１２２に接続されている場合はステップＦ１０に移る。
【００３２】
（ステップＦ４）
ステップＦ４では、ＡＣアダプタ１２９がＵＳＢコネクタ１２２に接続された状態のもとで、ＳＵＢ−ＣＰＵ１０９が、サーミスタ出力切り替え部１３２を制御して、アナログスイッチ１３２１の接点Ｐ１と接点Ｐ２とを接続し、バッテリー１２６のサーミスタ出力がバッテリー充電回路１２７のサーミスタ入力端子に伝達されるように制御する。
（ステップＦ５）
ステップＦ５では、バッテリー充電回路１２７が、ＡＣアダプタ１２９からの電力をＵＳＢ接続回路１３１、ＵＳＢブロック１０４−５を順次介して電力供給コネクタ１０４−５ａが受けてバッテリー１２６に対する充電動作を開始する。
（ステップＦ６）
ステップＦ６では、バッテリー充電回路１２７が、バッテリー１２６の状態が満充電状態となるまで前記充電動作を継続し、バッテリー１２６の状態が満充電状態となった場合はステップＦ７に進む。バッテリ充電回路１２７では、複数（この場合３つ）のコンパレータＣ１、Ｃ２、Ｃ３によりサーミスタとプルアップ抵抗Ｒ１との分圧出力と３つの異なる分圧された電圧とを比較して、充電ステータス情報を出力する。
【００３３】
（ステップＦ７）
ステップＦ７では、バッテリー充電回路１２７が、充電ステータス情報に基づき、前記充電動作を終了し、前記サーミスタ出力切り替え部１３２の状態を初期状態に戻す。即ち、ＳＵＢ−ＣＰＵ１０９は、アナログスイッチ１３２１の接点Ｐ１と接点Ｐ３とを接続し、アナログスイッチ１３２２の接点Ｐ３´と接点Ｐ５とを接続するように、サーミスタ出力切り替え部１０４を制御する。これにより、サーミスタ出力切り替え部１３２の状態は、サーミスタ出力をＳＵＢ−ＣＰＵ１０９の前記電池挿抜検出部に接続した状態となる。
（ステップＦ８）
ステップＦ８では、バッテリー残容量検出回路１２８により、バッテリー１２６の残容量が所定の動作可能領域に達したか否かを検証し、バッテリー１２６の残容量が前記動作可能領域に達している場合は、ステップＦ９に進み、また、バッテリー１２６の残容量が前記動作可能領域に達していない場合はステップＦ２に戻る。
（ステップＦ９）
ステップＦ９では、ＳＵＢ−ＣＰＵ１０９が、本装置のプロセッサ１０４の動作を許可し、これにより、携帯機能としてのカメラの撮影動作が可能な電源状態となる。
【００３４】
（ステップＦ１０）
ステップＦ１０では、ＳＵＢ−ＣＰＵ１０９が、ＰＣ通信の場合またはプリンタとの接続の場合であるか、それともＰＣ充電の場合であるかを検証し、ＰＣ充電の場合は、ステップＦ４に戻り、ＰＣ通信の場合またはプリンタとの接続の場合はステップＦ１１に進む。
（ステップＦ１１）
ステップＦ１１では、ＳＵＢ−ＣＰＵ１０９が、サーミスタ出力切り替え部１３２に対して、アナログスイッチ１３２１の接点Ｐ１と接点Ｐ３を接続し、アナログスイッチ１３２２の接点Ｐ３´と接点Ｐ４とを接続するように制御することにより、バッテリー１２６のサーミスタ出力がプロセッサ１０４に伝達されるように切り替えて、処理を終了する。
本実施の形態に係る画像処理装置によれば、従来の２次電池を電源として動作する画像処理装置ユニットに対して、２次電池（バッテリー１２６）を充電する回路（バッテリー充電回路１２７）を簡単に追加することができて、該２次電池のサーミスタによる温度情報を適宜参照して充電処理し、充電処理だけではなく、該２次電池の残容量を消費する場合にも、該２次電池のサーミスタによる温度情報をプロセッサ１０４に対しても適宜参照することができる。
【００３５】
通常、２次電池を充電する際には、電池のサーミスタから電池の温度状態を把握して充電を開始したり、停止したり、充電電流や電圧を減らしたりする制御を行う。
また、２次電池を使用して携帯機器等を動作させる場合にも、該２次電池の温度が高温となった場合には、安全のため、それ以上は該携帯機器等に電力が供給されることがないように、該携帯機器等の電源を切断するような制御が行われている。
前述のとおり、これら従来の制御手段は、各単体（充電器、携帯機器等の動作）の場合は、サーミスタ抵抗を所定の或る抵抗と電圧でＰＵＬＬ−ＵＰして該抵抗の分圧点を入力し、携帯機器等のシステムの場合は、該分圧点の電圧をＡ／Ｄ変換して該２次電池内部の温度を認識するものであり、また、充電回路の場合は、例えば、コンパレータなどでＲＥＦ電圧と比較を行うことで前記温度の閾値を把握していた。
しかしながら、ＰＵＬＬ−ＵＰする電圧は、システムによって、また、ＲＥＦ電圧は充電回路や既存の充電ＩＣ側の仕様により異なるので、入力される電圧値がずれてしまうと正常な動作が保証できなくなる。
【００３６】
そこで、本実施の形態のように、サーミスタ出力切り替え部１３２を追加するだけで、該分圧点の電圧の伝達先（即ち、２次電池内部の温度の検出先）を切り替えることができるので、簡単な追加構成要素だけで信頼性のある制御を実現することができる。
なお、本実施の形態に係る画像処理装置の各構成要素の処理の少なくとも一部をコンピュータ制御により実行するものとし、かつ、上記処理を、図３のフローチャートで示した手順によりコンピュータに実行せしめるプログラムを、半導体メモリを始め、ＣＤ−ＲＯＭや磁気テープなどのコンピュータ読み取り可能な記録媒体に格納して配付するようにしてもよい。そして、少なくともマイクロコンピュータ，パーソナルコンピュータ，汎用コンピュータを範疇に含むコンピュータが、上記の記録媒体から上記プログラムを読み出して、実行するものとしてもよい。
尚、本発明は、請求項１に記載した発明について、その目的、構成および効果は上述したところであるが、請求項２〜請求項７に係る構成および効果について、以下に説明する。
【００３７】
以上詳述したように、本発明の一つの実施形態によれば、自己の温度状態を出力するサーミスタの如き温度検出端子を有する２次電池を搭載した画像処理装置であって、前記２次電池を充電する電力、例えば、ＡＣアダプタやＵＳＢ  ＢＵＳなどが接続される、例えば、ＵＳＢコネクタの如き接続コネクタと、前記接続コネクタからの電力を制御して前記２次電池への充電制御を行うバッテリ充電回路からなる充電手段と、本装置各部の動作を制御する制御手段と、前記温度検出端子の接続先を前記充電手段と前記制御手段とに切替える接続切替え手段と、を備え、前記制御手段は、前記接続切替え手段を介して、前記２次電池への充電を実行するときには前記温度検出端子を前記充電手段に接続し、画像処理動作を実行するときには前記温度検出端子を自己を構成する回路に接続する（請求項１に対応する）ことを可能にして、２次電池が過放電の場合であっても、その内部温度を正確に把握することにより、適正な充電ができる画像処理装置を提供することができる。
また、前記制御手段は、少なくとも前記接続コネクタから電力が供給されていることを検出する機能と、前記接続切替え手段を制御する機能とを備えた第１の制御手段（上述したＳＵＢ  ＣＰＵ１０９に相当する）と、少なくとも画像処理動作を制御する機能を備えた第２の制御手段（上述したＭＡＩＮ  ＣＰＵ１０４に相当する）とにより構成されると共に、前記第１の制御手段は前記第２の制御手段よりも低い電源電圧で作動するように設定されていて、前記第１の制御手段は、前記接続切替え手段を介して、前記２次電池への充電を実行するときは前記温度検出端子を前記充電手段に接続し、また、前記画像処理動作を実行するときは前記温度検出端子を前記第２の制御手段に接続し、さらに、前記２次電池への充電も画像処理動作も行わないときは前記温度検出端子を該第１の制御手段に接続するように構成する（請求項２に対応する）ことにより、２次電池の充電を優先させることである程度充電された２次電池で確実に本装置を動作させ得る画像処理装置を提供することができる。
【００３８】
さらに、上記実施の形態によれば、前記２次電池の残容量を検出する電池残容量検出手段をさらに有し、前記制御手段は、前記接続切替え手段を介して前記温度検出端子を前記充電手段に接続して充電制御を実行し、前記電池残容量検出手段によりフル充電レベルを検出するまでは前記画像処理動作を禁止し、該フル充電レベルを検出したときには前記温度検出端子を前記接続切替え手段を介して自己（制御手段）を構成する回路に接続して前記画像処理動作を許可するように構成する（請求項３に対応する）ことで、２次電池の容量が少ない際に充電ブロックに温度検出の接続ができるようにして、確実に２次電池を充電することを可能にし、画像処理が可能な電池容量まで充電できるようにした画像処理装置を提供することができる。
また、前記制御手段が、フル充電レベル検出に加えて、該フル充電レベルよりも低くてかつ前記画像処理動作が可能な充電レベルを前記電池残容量検出手段により検出し、該画像処理動作が可能な充電レベルからフル充電レベルに至るまでの間は、前記充電制御を継続したままで前記画像処理動作も許可することを可能にして（請求項４に対応する）、従来は満充電までユーザを待たせてしまうと、例えば、画像処理装置として使用する場合は決定的な記録事項を逃してしまう恐れがあったが、本実施の形態に係る装置では、ある程度の充電容量で画像記録機能の動作を許可して、前述の決定的な記録事項を逃さずに済むような画像処理装置を提供することができる。
【００３９】
前記温度検出端子は、一方の端子が接地された正または負の温度係数を有するサーミスタに接続されており、前記制御手段及び前記充電手段は、各々異なるプルアップ電圧を任意の抵抗体を介して前記温度検出端子に印加して、前記サーミスタと前記抵抗体とにより前記プルアップ電圧を分圧した電圧を検出して電池温度を検出する（請求項５に対応する）ことを可能にして、前記制御手段と、前記充電手段とは、各々異なるプルアップ電圧でもって、前記サーミスタから電池温度を検出する電圧を引き出すことができるようにし、これにより、両者間の規格の相違に対応できるようにした画像処理装置を提供することができる。
また、前記接続切替え手段としてのサーミスタ出力切り替え部は、半導体アナログスイッチで構成され、該半導体アナログスイッチを駆動する電源は、本装置で設定している複数の電源をダイオードで構成されたＯＲ回路を介して印加されるように構成し（請求項６に対応する）、これにより、本装置で設定している複数の電源の内、電圧値の高い方の電源を常に安定的に確保することができる画像処理装置を提供することができる。
また、前記接続コネクタは、ＵＳＢ規格に準拠したもの（請求項７に対応する）であっても良いようにし、これにより、最も普及しているＵＳＢ規格に準拠することで、多くの外部機器との互換性を向上させる得る画像処理装置を提供することができる。
【符号の説明】
【００４０】
１  サブ液晶ディスプレイ（サブＬＣＤ）
２  サーミスタ
３  ＬＤＯ
７  鏡胴ユニット
１０  液晶ディスプレイモニタ（ＬＣＤモニタ）
７−１  ズーム光学系
７−２  フォーカス光学系
７−３  絞りユニット
７−４  メカシャッタユニット
７−５  モータドライバ
１０１  ＣＣＤ（撮像素子）
１０２  フロントエンド部
１０３  ＳＤＲＡＭ（シンクロナスダイナミックランダムアクセスメモリ）
１０４−１  ＣＣＤ１信号処理ブロック
１０４−２  ＣＣＤ２信号処理ブロック
１０４−３  ＣＰＵ（中央処理部）ブロック
１０４−４  ローカルＳＲＡＭ（ローカルスタティックランダムアクセスメモリ）
１０４−５  ＵＳＢ処理ブロック
１０４−６  シリアル処理ブロック
１０４−７  ＪＰＥＧコーデック（ＣＯＤＥＣ）ブロック
１０４−８  リサイズ（ＲＥＳＩＺＥ）ブロック
１０４−９  ビデオ信号表示ブロック
１０４−１０  メモリカードコントローラブロック
１０４  カメラプロセッサ
１０７  ＲＡＭ（ランダムアクセスメモリ）
１０８  ＲＯＭ（リードオンリメモリ）
１０９  サブ中央処理部（サブＣＰＵ）
１１０  操作キーユニット
１１１  サブＬＣＤドライバ
１１３  ブザー
１１４  ストロボ回路
１１５  音声記録ユニット
１１６  音声再生ユニット
１１７  ＬＣＤドライバ
１１８  ビデオアンプ（ビデオ増幅器）
１１９  ビデオコネクタ
１２０  内蔵メモリ
１２１  メモリカードスロット
１２２  ＵＳＢ（ユニバーサルシリアルバス）コネクタ
１２３  シリアルインタフェース部
１２３−１  シリアルドライバ回路
１２３−２  シリアルコネクタ
１２４  メモリカード
１２５  電源ユニット
１２６  バッテリー（２次電池）
１２７  バッテリー充電回路
１２８  バッテリー残容量検出回路
１２９  ＡＣアダプタ
１３０  ＵＳＢ  ＢＵＳ
１３１  ＵＳＢ接続検出回路
１３２  サーミスタ出力切り替え部
１３２２，１３２２  スイッチ
【先行技術文献】
【特許文献】
【００４１】
【特許文献１】特開２００９−２７２１３４号公報
【特許文献２】特開平０５−０１７６４７４号公報
【図１】
0005843129.tif 000002
【図２】
0005843129.tif 000003
【図３】
0005843129.tif 000004